(57)【要約】【課題】複数のユーザがログインするカラオケ装置にて行われるカラオケの様子をソーシャルネットワークサービスに投稿送信する。【解決手段】本発明に係るカラオケ装置は、複数のユーザが同時にログイン可能なカラオケ装置において、所定のイベントの発生を検出した際、発生したイベントに応じた投稿メッセージを各ログインユーザ毎に形成し、対応するログインユーザのソーシャルネットワークサービスのアカウントに投稿送信する投稿処理を実行することを特徴とすることを特徴とする。【選択図】図１１
2014191142.tif 000002
【特許請求の範囲】
【請求項１】
複数のユーザが同時にログイン可能なカラオケ装置において、
所定のイベントの発生を検出した際、発生したイベントに応じた投稿メッセージを各ログインユーザ毎に形成し、対応するログインユーザのソーシャルネットワークサービスのアカウントに投稿送信する投稿処理を実行することを特徴とすることを特徴とする
カラオケ装置。
【請求項２】
投稿メッセージは、ログインユーザに関する情報を含めて形成されることを特徴とする
請求項１に記載のカラオケ装置。
【請求項３】
入力手段にて各ログインユーザ毎に投稿の可否を選択可能とし、
投稿処理は、投稿することを選択したログインユーザについてのみ投稿メッセージを形成することを特徴とする
請求項１または請求項２に記載のカラオケ装置。
【請求項４】
投稿処理は、各ログインユーザ毎に形成された投稿メッセージを、当該投稿メッセージに対応するログインユーザに確認させ、投稿送信が許可された投稿メッセージを投稿送信することを特徴とする
請求項１から請求項３の何れか１項に記載のカラオケ装置。
【請求項５】
投稿処理は、各ログインユーザ毎に形成された投稿メッセージを、当該投稿メッセージに対応するログインユーザにて編集可能とし、編集された投稿メッセージを投稿送信することを特徴とする
請求項１から請求項４の何れか１項に記載のカラオケ装置。
【請求項６】
投稿メッセージの編集は、形成された投稿メッセージについて、指定した部分を非公開とする処理であることを特徴とする
請求項５に記載のカラオケ装置。
【請求項７】
指定された投稿メッセージの公開先に応じて、投稿メッセージが含む情報を制限することを特徴とする
請求項１から請求項６の何れか１項に記載のカラオケ装置。
【請求項８】
形成された投稿メッセージが含む情報に基づいて、当該投稿メッセージの公開先を制限することを特徴とする
請求項１から請求項７の何れか１項に記載のカラオケ装置。
【発明の詳細な説明】
【技術分野】
【０００１】
本発明は、楽曲の演奏に合わせて歌唱を楽しむことのできるカラオケ装置に関し、特に、ソーシャルネットワークサービスに対して歌唱状況を投稿することのできるカラオケ装置に関する。
【背景技術】
【０００２】
従来、スナックやカラオケボックスなどにおいて歌唱を楽しむカラオケは、一緒に同席する仲間等と社交の場を形成するものとして知られている。現在、携帯電話など各種情報端末が常時、通信接続された状態にある中、ソーシャルネットワークサービス（ＳＮＳ）なるサービスが人気を集めている。このソーシャルネットワークサービスでは、登録したユーザが発信した情報（メッセージ）を略リアルタイムで配信することが可能であり、現在、何をしている等といったメッセージを伝えることが可能である。
【０００３】
カラオケ装置においてもこのようなソーシャルネットワークサービスの利用が検討されている。特許文献１には、対象となる利用者が所在する地点から所定範囲内においてカラオケ装置を利用している他の利用者をフレンド登録可能な通信カラオケシステムが開示されている。また、特許文献２には、カラオケ演奏に際して撮影された写真を用いてウェブページを自動作成する通信カラオケシステムが開示されている。
【先行技術文献】
【特許文献】
【０００４】
【特許文献１】特開２０１２−１８５３８２号公報
【特許文献２】特開２０１１−１７５１７０号公報
【発明の概要】
【発明が解決しようとする課題】
【０００５】
ところで、携帯電話などの情報処理装置で広く利用されるソーシャルネットワークサービスは、事故や災害などが発生した場合、それに関する情報をリアルタイムで広く共有することが可能である。このようなソーシャルネットワークサービスによる情報の共有は、カラオケボックスなどカラオケを行う場において行うことで、カラオケを行う場にいない人にカラオケの場の雰囲気などを伝えることが可能である。
【０００６】
しかしながら、宴会の場において、携帯電話などで入力を行い投稿をすることは、投稿者本人にとっても面倒であり、入力している様子は、盛り上がっている場において興ざめとなってしまう可能性がある。また、参加している各人が投稿を行う場合、投稿したメッセージは、投稿者のフレンドのみに投稿される場合も考えられ、投稿したい参加者全てが投稿を行うことは非効率でもある。
【課題を解決するための手段】
【０００７】
そのため本発明に係るカラオケ装置は以下の構成を採用することを特徴としている。
複数のユーザが同時にログイン可能なカラオケ装置において、
所定のイベントの発生を検出した際、発生したイベントに応じた投稿メッセージを各ログインユーザ毎に形成し、対応するログインユーザのソーシャルネットワークサービスのアカウントに投稿送信する投稿処理を実行することを特徴とすることを特徴とする
カラオケ装置。
【０００８】
さらに本発明に係るカラオケ装置において、
投稿メッセージは、ログインユーザに関する情報を含めて形成されることを特徴とする。
【０００９】
さらに本発明に係るカラオケ装置は、
入力手段にて各ログインユーザ毎に投稿の可否を選択可能とし、
投稿処理は、投稿することを選択したログインユーザについてのみ投稿メッセージを形成することを特徴とする。
【００１０】
さらに本発明に係るカラオケ装置において、
投稿処理は、各ログインユーザ毎に形成された投稿メッセージを、当該投稿メッセージに対応するログインユーザに確認させ、投稿送信が許可された投稿メッセージを投稿送信することを特徴とする。
【００１１】
さらに本発明に係るカラオケ装置において、
投稿処理は、各ログインユーザ毎に形成された投稿メッセージを、当該投稿メッセージに対応するログインユーザにて編集可能とし、編集された投稿メッセージを投稿送信することを特徴とする。
【００１２】
さらに本発明に係るカラオケ装置において、
投稿メッセージの編集は、形成された投稿メッセージについて、指定した部分を非公開とする処理であることを特徴とする。
【００１３】
さらに本発明に係るカラオケ装置は、
指定された投稿メッセージの公開先に応じて、投稿メッセージが含む情報を制限することを特徴とする。
【００１４】
さらに本発明に係るカラオケ装置は、
形成された投稿メッセージが含む情報に基づいて、当該投稿メッセージの公開先を制限することを特徴とする。
【発明の効果】
【００１５】
本発明のカラオケ装置によれば、カラオケ装置にて発生したイベントの発生を検出し、発生したイベントに応じた投稿メッセージをログインユーザ毎に形成し、対応するログインユーザのログインユーザのソーシャルネットワークサービスのアカウントに投稿送信することで、カラオケを行っている場の状況を、メッセージ入力を基本的にはさせることなく、ソーシャルネットワークサービスを利用して外部に伝えることが可能となる。また、複数のログインユーザのアカウントに対してメッセージ投稿することで、メッセージ投稿の効率化も図られたものとなっている。
【図面の簡単な説明】
【００１６】
【図１】本発明の実施形態に係るカラオケシステムを示す図
【図２】本発明の実施形態に係るトップ画面を示す図
【図３】本発明の実施形態に係るユーザ情報を示す図
【図４】本発明の実施形態に係るユーザに対するサービス処理を示す図
【図５】本発明の実施形態に係る利用ユーザトップ画面を示す図
【図６】本発明の実施形態に係る楽曲確認画面を示す図
【図７】本発明の実施形態に係るカラオケ装置のＳＮＳ投稿処理を示すフロー図
【図８】本発明の実施形態に係るカラオケ装置の投稿確認処理を示すフロー図
【図９】イベント発生条件とＳＮＳ投稿メッセージに含める各種情報の関係を示す図
【図１０】本発明の実施形態に係る投稿確認画面を示す図
【図１１】本発明の実施形態に係るＳＮＳ投稿を模式的に示す図。
【図１２】本発明の他の実施形態に係る投稿確認編集画面を示す図
【図１３】本発明の他の実施形態に係る投稿されたＳＮＳ投稿メッセージを示す図
【図１４】ＳＮＳ投稿メッセージに含まれる情報とその公開対象の関係を示す図
【発明を実施するための形態】
【００１７】
図１は、本発明の実施形態に係るカラオケシステムの構成を示す図である。本実施形態におけるカラオケシステムは、カラオケ装置２（コマンダ）と、リモコン装置１を含んで構成されている。なお、図１に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００１８】
カラオケボックスなどの店舗に設置されるカラオケ装置２は、楽曲を演奏するための演奏手段として音響制御部２５を備えている。また、カラオケ装置２は、ユーザからの各種入力を受け付けるスイッチなどで構成されるカラオケ装置２側の入力手段としての操作部２１を備える。カラオケ装置２は、操作部２１からの入力を解釈して制御部３０に伝達する操作処理部２２を備える。また、カラオケ装置２は、各種情報を記憶するカラオケ装置側記憶手段としてのＨＤＤ３２（ハードディスク）を備える。カラオケ装置２は、ＬＡＮ１００に接続してネットワークに加入するためのカラオケ装置側通信手段としてのインターフェイス部２４を備えている。
【００１９】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対して歌詞テロップを重畳したり、映像効果を付与する映像制御部３１を備えて構成される。
【００２０】
さらに、このカラオケ装置２では、外部に接続されたモニタ４１以外に、タッチパネルモニタ３３に対しても各種情報を表示することを可能としている。タッチパネルモニタ３３は映像制御部３１から入力された映像情報を表示する表示部３５と、タッチ入力された位置を操作処理部２２に出力するタッチパネル３４が重畳されて構成されている。また、カラオケ装置２に対する各種操作は、カラオケ装置２のフロントパネル等に設けられた操作部２１を介して行うことも可能となっている。
【００２１】
本実施形態のタッチパネルモニタ３３は、リモコン装置１の操作手段と同様の操作手段として機能することも可能としている。ユーザはタッチパネルモニタ３３から楽曲を選択して、直接カラオケ装置２に予約をさせるなど、リモコン装置１と同等の操作手段機能を利用することが可能である。
【００２２】
さらに、カラオケ装置２は、各構成を統括して制御するための制御手段として、ＣＰＵにて構成される制御部３０、各種プログラムを実行するにあたって必要となる情報を一時記憶するためのメモリ２７を備えて構成される。
【００２３】
カラオケ装置２には、撮影を行うための外部機器としてカメラ４５が接続されている。カメラ４５からのカメラ映像は、映像入出力を担う映像制御部３１を介して、記録手段としてのハードディスク３２に記録、そして、モニタ４１にリアルタイム表示することが可能である。このようにカラオケ装置２にカメラ４５を設けることで、記録された録画情報をカラオケ用ホストに送信し、インターネットを介して公開する投稿処理などを行うことが可能である。
【００２４】
このような構成にてカラオケ装置２は、各種処理を実行することとなるが、カラオケ装置２の主な機能として、楽曲指定処理、楽曲再生処理などを実行可能としている。楽曲指定処理は、ユーザからの指定に基づいて楽曲を指定、予約するための処理であってリモコン装置１と連携して実行される。リモコン装置１から送信された予約情報をメモリ２７に記憶する予約テーブルに登録する。楽曲再生処理は、予約された楽曲を再生させる処理であって、演奏処理と歌詞再生処理とが同期して実行される処理である。
【００２５】
演奏処理は、楽曲データに含まれる演奏データを音響制御部７０にて演奏させる処理である。音響制御部７０にて演奏された楽曲は、歌唱用マイク４４ａ、４４ｂから入力される歌唱音声と一緒にスピーカー４２から放音される。歌詞再生処理は、楽曲データに含まれる歌詞データをモニタ４１に表示させることで歌唱補助を行う処理である。この歌詞再生処理で表示される歌詞に、背景映像を重畳させて表示させる背景映像表示処理を実行することとしてもよい。
【００２６】
一方、リモコン装置１は、予約情報などカラオケ装置２に対して各種指示を送信するとともに、カラオケ装置２あるいはインターネット上に接続されたカラオケ用ホスト（図示せず）から各種情報を受信する。リモコン装置１は、リモコン側表示手段としての表示部１１と、ユーザからの各種入力を受け付ける操作部１７とを備える。また、リモコン装置１は、アクセスポイント１１０に無線接続し、ネットワークに加入するためのリモコン側通信手段としての無線ＬＡＮ通信部１６を備える。
【００２７】
さらにリモコン装置１は、楽曲検索に必要とされるデータベース、各種プログラム、並びに、プログラム実行に伴って発生する各種情報を記憶するリモコン側記憶手段としてメモリ１４、そして、これら構成を統括して制御するためのリモコン側制御手段を備えて構成される。リモコン側制御手段には、ＣＰＵにて構成される制御部１５、表示部１１に対して表示する映像を形成する映像制御部１３、表示する映像情報を一時的に蓄えるビデオＲＡＭ１２、操作部１７からの入力を解釈して制御部１５に伝達する操作処理部１８が含まれている。また、リモコン装置１の表示部１１と操作部１７は一体となってタッチパネル表示画面を形成することとしてもよい。
【００２８】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００２９】
このようなリモコン装置１の構成により、ユーザからの各種入力を操作部１７にて受付けるとともに、映像情報を表示部１１に表示してユーザに対して各種情報を提供するとともに、カラオケ装置２に対して楽曲予約などの各種指示を送信することが可能とされている。
【００３０】
図２は、本発明の実施形態に係るトップ画面、すなわち、リモコン装置１を起動した直後の画面を示す図である。本実施形態では、リモコン装置１の表示部１１に表示を行うことで、リモコン装置１を操作するユーザに対して各種情報を提供する。なお、リモコン装置１の操作部１７としては、カーソルキーなどの各種機械的なスイッチの他、表示部１１に表示されたボタン、アイコンなどを直接タッチして操作を行うタッチパネルを採用することができる。
【００３１】
本実施形態のカラオケシステムは、複数のユーザが各リモコン装置１のタッチパネル表
示画面から必要な情報（後述するユーザ識別情報やパスワード）を入力し、ログインすることが可能となっている。ユーザのログインに関する情報は画面上方に常時表示される。ログインしたユーザの分身像（アバター）を表示するためのログインユーザ欄１０３が設けられている。なお、分身像としては、人、キャラクターを模した像の他、図形や記号など各種形態を採用することができる。
【００３２】
また、アカウントを有していないユーザのためのゲストアイコン１０２、ユーザを切り替えるためのユーザ切替スイッチ１０１が表示されている。ログインしたユーザは、ログインユーザ欄１０３に表示される分身像を選択、あるいは、ユーザ切替スイッチ１０１を操作することで、自分のユーザ情報を利用した各種サービスを受けることが可能となる。また、アカウントを有していないユーザは、ゲストアイコン１０２を操作することで、選曲など一般的なサービスを受けることが可能となっている。なお、ユーザの切替の際には、パスワードなど認証を行うこととしてもよいが、認証を行うことなく簡易に切り替えることとしてもよい。
【００３３】
図３は、各ユーザ毎に、ホスト５に記憶されているユーザ情報を説明するための図である。本実施形態では、ユーザ情報として、個人情報、マイうたテーブル、マイアーティストテーブルといった、ユーザに関する各種情報を含んで構成される。ユーザ情報は、カラオケ用ホストの記憶部に予め記憶されている。また、ユーザ情報には、ユーザがリモコン装置１からカラオケ用ホスト５へログインしてこれら情報を利用するためのユーザ識別情報、パスワードが対応付けられている。個人情報には、ユーザ名（実際の名前に限ったものでなく、ニックネームであってもよい）、性別、年齢、うた年齢などを含んで構成される。これら各種情報は、リモコン装置１、あるいは、インターネットなどのネットワークに接続された図示しないパーソナルコンピュータ、携帯情報端末などにてログインして設定することも可能である。リモコン装置１とカラオケ装置２との対応付け（通称、くくりつけ）が、予め完了されていれば、リモコン装置１の操作部１７から入力された各種情報をカラオケ装置２へ送付し、カラオケ装置２からホスト５へログインしてもよい。
【００３４】
特に、本実施形態の個人情報には、歌唱状況をソーシャルネットワークサービス（以下、「ＳＮＳ」と略して表記する）に投稿するため、当該ＳＮＳのアカウント情報が含まれている。このアカウント情報には、ＳＮＳにおけるユーザ識別情報（ＳＮＳ_ＩＤ）と、
ログインするためのパスワード（ＳＮＳ_パスワード）を含んで構成されている。この本
実施形態のように、個人情報にＳＮＳのアカウント情報を登録している場合、リモコン装置１、又はカラオケ装置２からホスト５へのログインすると、ホスト５においては、ログインしたユーザのユーザ情報から、ＳＮＳのアカウント情報を抽出する。そして抽出したＳＮＳのアカウント情報と、ログインの認証結果（許可）とが、ログインしたユーザが使用するリモコン装置１やカラオケ装置２へ送付されるため、リモコン装置１、又はカラオケ装置２から、楽曲の予約、演奏とともに、抽出されたアカウント情報に基づいてＳＮＳにもログインしてメッセージを投稿、並びに、返信の受信を行うことが可能となる。ＳＮＳとしては、現在、Ｔｗｉｔｔｅｒ、Ｆａｃｅｂｏｏｋ（両方とも登録商標）など、複数のＳＮＳサービスが提供されている。
【００３５】
本実施形態のカラオケ装置２では、複数のＳＮＳを利用可能としてもよい。その場合、個人情報には、ＳＮＳ毎にアカウント情報が記憶され、登録している全てのＳＮＳ、もしくは、ユーザによって選択されたＳＮＳに対して投稿が実行される。また、ユーザによってはカラオケサービスで使用するユーザ情報中にＳＮＳのアカウント情報（特に、パスワード）を記憶させたくない場合もある。そのような場合には、カラオケシステムにログインする毎に、ＳＮＳでのユーザ識別情報及びパスワード、また、個人情報にＳＮＳのユーザ識別情報が登録されている場合には、ＳＮＳのパスワードの入力を促し、ＳＮＳへログインさせることとしてもよい。
【００３６】
マイうたテーブルは、ユーザによって登録された楽曲を記憶するテーブルであって、楽曲識別情報、音程調整値、過去の歌唱採点情報（最高点、もしくは、過去複数回のもの）などを含んで構成されている。ユーザは、このマイうたテーブルに基づいて、過去に登録したお気に入りの楽曲を呼び出して予約、演奏することが可能となる。その際、登録した音程調整値を利用することで、自分の歌唱にあった音程で演奏（再生）を行うこともできる。
【００３７】
マイアーティストテーブルは、ユーザによって登録されたアーティスト（歌手）を記憶するテーブルであって、歌手識別情報を含んで構成されている。ユーザは、このマイアーティストテーブルに基づいて、登録したお気に入りのアーティストの楽曲（持ち歌、あるいは、関連楽曲）を呼び出して予約、演奏することが可能となる。
【００３８】
履歴テーブルは、ユーザが過去に演奏した楽曲に関する各種情報を記録した情報であって、本実施形態では、過去に演奏した（当該ユーザが予約、演奏した）楽曲について、楽曲の楽曲識別情報、演奏した日時を示す歌唱日時、採点情報などを含んで構成されている。ユーザは、この履歴テーブルに基づいて、過去に演奏した楽曲を呼び出して歌唱することができる。
【００３９】
図４は、このユーザ情報の送受信の様子を示した図である。カラオケ店舗に来店したユーザは、自己のユーザ識別情報とパスワードで構成された識別情報を入力、あるいは、リモコン装置１などに設けられたＩＣカードリーダーでＩＣカードに記憶されている識別情報を読み取らせることで認証処理Ｓ１０１を実行する。ユーザの識別情報を読み取った、カラオケ装置２あるいはリモコン装置１は、識別情報をカラオケ用ホスト５に送信し（Ｓ１０２）、識別情報を受信したカラオケ用ホスト５は記憶部５１に記憶されたデータベースから、該当するユーザのユーザ情報を抽出し（Ｓ１２１）、問い合わせのあったカラオケ装置２あるいはリモコン装置１に対して送信する（Ｓ１２２）。
【００４０】
ユーザ情報を受信したカラオケ装置２側では（Ｓ１０３）、リモコン装置１の表示部１１にログインしたユーザのアクティブユーザトップ画面を表示させる。図５には、本発明の実施形態に係るアクティブユーザトップ画面が示されている。この画面に示されるように、複数人がログインした状態ではログインユーザ欄１０３にログインしたユーザの分身像１０３ａ〜１０３ｅ（本実施形態では顔部分）が表示される。またログインユーザ欄１０３中、右端に背景がハイライトで示されるユーザは、アクティブユーザ１０３ｅであって、図に示す状態では、このアクティブユーザ１０３ｅに対するサービス、すなわち、アクティブユーザ１０３ｅのユーザ情報を利用したサービスが実行されている状態となっている。このアクティブユーザトップ画面では、「曲を探す」を選択することで、従来の歌本と同様、歌手名、楽曲名に基づく検索を行うことができる。
【００４１】
また、本実施形態のアクティブユーザトップ画面では、ユーザ情報、個人情報内で規定されるＳＮＳのアカウント情報（ＳＮＳ_ＩＤ、ＳＮＳ_パスワードなど）に基づいてＳＮＳ投稿を行うを行うか否かを選択する選択ボタンが画面右上に設けられている。本実施形態のカラオケシステムでは、カラオケ装置２にて適宜イベントが生じる毎にメッセージを生成し、ユーザ情報中に規定されてるＳＮＳアカウント情報に対応するＳＮＳにメッセージを投稿するＳＮＳ投稿処理を行うこととしている。この選択ボタンでは、アクティブユーザトップ画面で表示されているユーザ（この場合、Ａさん）について、ＳＮＳ投稿処理の可否を選択することを可能としている。他のログインユーザについても同様に、ＳＮＳ投稿処理の可否を選択することが可能である。また、このＳＮＳ投稿処理の可否選択は、ログイン時のみならず、ユーザがログインしている最中、適宜タイミングで選択可能としてもよい。
【００４２】
ＳＮＳ投稿処理の実行が選択された場合（Ｓ１０３：可）、当該ユーザについて、ＳＮＳ投稿処理を含む各種サービス処理が実行される（Ｓ１０４ａ）。一方、ＳＮＳ投稿処理の実行が選択されなかった場合（Ｓ１０３：否）、当該ユーザについては、ＳＮＳ投稿処理は実行されず、予約処理、演奏処理など他の各種サービス処理が提供される（Ｓ１０４ｂ）。
【００４３】
ユーザによりログアウトが要求される（Ｓ１０５）とサービス処理を中断し、サービス処理中における各種履歴（ログ）、あるいは、ユーザによる設定変更を反映したユーザ情報をカラオケ用ホスト５に送信する（Ｓ１０６）。ここで、ユーザ情報は、全ての情報を送信することの他、更新された差分だけを送信してもよい。ユーザ情報を受信したカラオケ用ホスト５では（Ｓ１２３）、受信したユーザ情報に基づいて記憶部１に記憶されたデータベースの更新を実行する（Ｓ１２４）。
【００４４】
以上、１ユーザが認証処理（ログイン処理）してから、ログアウトするまでの流れを説明したが、本実施形態のカラオケ装置２、リモコン装置１は、認証された複数人（認証ユーザ）が同時にログインした状態で使用することが可能となっており、図２で説明したユーザインターフェイスを用いることで、サービスを提供するユーザ（アクティブユーザ）を切り替えて使用することが可能となっている。
【００４５】
アクティブユーザとして楽曲を選択した場合、図６に示される楽曲確認画面にて、予約を行う楽曲に間違いがないか、楽曲名、歌手名、歌い出しなどを表示してユーザに確認させる。このとき、選択した楽曲に対して自分の歌唱できる音程（キー）が予め分かっている場合には、「音程設定」を変更することで演奏する際の音程調整値を設定することが可能となっている。キー設定右下の「変更」ボタンを操作することで、音程設定用の画面が表示され音程調整値を設定することができる。
【００４６】
この楽曲確認画面にて「予約」ボタンが操作されると、リモコン装置１からカラオケ装置２に対してユーザ識別情報、楽曲識別情報、音程調整値などを含む予約情報が送信される。受信したカラオケ装置２では、予約情報を予約テーブルに順次追加して、演奏処理を実行する。
【００４７】
図７には、本発明の実施形態に係るカラオケ装置２で実行されるＳＮＳ投稿処理を示すフロー図が示されている。このＳＮＳ投稿処理は、カラオケ装置２の起動中、少なくとも当該カラオケ装置２に対して１人のログインユーザがいる場合に実行される処理であり、カラオケ装置２で生じた各種イベントに応じたメッセージを、ユーザ情報中に登録されているＳＮＳに対してメッセージ投稿する処理である。このＳＮＳ投稿処理を実行することで、いわば、ＳＮＳに対してカラオケの実況中継を行うことが可能となる。
【００４８】
カラオケ装置２は、メッセージ投稿イベントの発生を監視する（Ｓ２０１）。図９には、本実施形態で使用する各種メッセージ投稿イベントが示されている。メッセージ投稿イベントとしては、ユーザのログイン、ログアウト時、あるいは、楽曲の演奏開始、終了、サビ区間を歌っているとき、採点結果を取得した時点が考えられる。この他、カラオケ装置２が備えるカメラ４５にて適宜タイミングで撮影した写真（静止画）撮影時、あるいは、カメラ４５を使用した録音、録画による投稿情報の形成あるいは投稿時を使用してもよい。さらには、ユーザがログインしてから所定時間（３０分、１時間など）経過時としてもよい。所定時間の経過の起点は、あるユーザのログイン時としてもよいし、最初にログインしたユーザのログイン時としてもよい。最初にログインしたユーザのログイン時を起点とすることで、カラオケボックスなどでは宴会の開始時点からの経過時間にしたがったメッセージ形成を行うことが可能となる。
【００４９】
図９の左欄に示す各種メッセージ投稿イベントの発生を検出した場合（Ｓ２０１：Ｙｅｓ）、カラオケ装置２は、ログインしているユーザから１のログインユーザを抽出する（Ｓ２０２）。Ｓ２０３では、抽出されたログインユーザがＳＮＳ投稿を許可しているか否かを判定する。この判定は、図５に示すアクティブユーザトップ画面の選択ボタンで設定に基づいて判定される。ＳＮＳ投稿を許可していない場合（Ｓ２０３：Ｎｏ）にはＳ２０２に戻り、次のログインユーザを抽出する。一方、ＳＮＳ投稿を許可している場合（Ｓ２０３：Ｙｅｓ）にはＳ２０５の処理に移行する。
【００５０】
本実施形態のＳＮＳ投稿処理では、２つの形態のＳＮＳ投稿メッセージを形成可能としている（Ｓ２０４）。ＳＮＳ投稿メッセージの１の形態はユーザに確認させない形態であり、もう１つの形態はユーザに確認させる形態（確認必要メッセージ）とする形態である。２つの形態は、それに含める情報で分けられる。例えば、映像、音声といった個人情報をＳＮＳ投稿メッセージに含める場合には、ユーザに確認させる形態（確認必要メッセージ）に設定される。ＳＮＳ投稿メッセージに含める情報中、どの情報を個人情報として扱うかは適宜設定することが可能である。
【００５１】
Ｓ２０４で形成されたＳＮＳ投稿メッセージが確認必要メッセージでない場合（Ｓ２０５：Ｎｏ）、カラオケ装置２は、形成されたＳＮＳ投稿メッセージを直ちに投稿送信する。一方、Ｓ２０４で形成されたＳＮＳ投稿メッセージが確認必要メッセージである場合（Ｓ２０５：Ｙｅｓ）、カラオケ装置２は、ＳＮＳ投稿メッセージをリモコン装置１に対して確認必要メッセージとして送信し、リモコン装置１のユーザインターフェイスにて各ユーザに投稿の可否を確認させる投稿確認処理Ｓ３００を実行することとしている。
【００５２】
自動で投稿送信する形態では、投稿メッセージの発生直後に、ＳＮＳ投稿メッセージが自動送信されるというリアルタイム性を有する点において利点を有している。一方、確認の上、投稿送信する形態では、ＳＮＳ投稿メッセージが個人情報などを含んでいる場合、投稿の可否を判定できる点で利点を有している。また、このような個人情報を含んだＳＮＳ投稿メッセージの場合、確認させる際、当該ＳＮＳ投稿メッセージを編集可能としてもよい。編集には、ＳＮＳ投稿メッセージに含まれる個人情報を削除、隠蔽する他、ＳＮＳ投稿メッセージの公開先を制限することなどが考えられる。この編集では、ユーザによる新たなメッセージを追記可能としてもよい。
【００５３】
本実施形態の投稿確認処理Ｓ３００は、リモコン装置１にて実行することとしている。なお、投稿確認処理Ｓ３００は、リモコン装置１で行う形態以外に、ユーザが所持するスマートフォン、携帯電話などの情報端末で行う形態としてもよい。予め、カラオケシステムとユーザが所持する情報端末を連携させることで情報端末をリモコン装置１に代わる入力手段として使用可能とし、情報端末にて投稿確認させることとしてもよい。情報端末とカラオケシステムの連携は、情報端末にてカラオケシステムと同じアカウント情報でログインさせ、カラオケ用ホストを介して、同じアカウントでログインしているカラオケシステムを判別し、連携させるなど各種形態が考えられる。
【００５４】
図８にはリモコン装置１で実行される投稿確認処理のフロー図が、図１０には本発明の実施形態に係る投稿確認画面が示されている。リモコン装置１は、カラオケ装置２から確認必要メッセージを受信した（Ｓ３０１：Ｙｅｓ）後、当該確認必要メッセージの確認対象となるユーザがアクティブユーザとなったとき、図１０に示す投稿確認画面を表示する。この投稿確認画面は、自動形成されたＳＮＳ投稿メッセージを確認の上、投稿の可否を選択することが可能でとなっている。図１０は、あるログインユーザが歌唱開始したときに自動形成されたＳＮＳ投稿メッセージが「送信メッセージ」欄に表示されている。
【００５５】
本実施形態では、演奏開始の定型メッセージに、Ａ１〜Ａ５のカラオケシステムでの各種状況を示す情報が組み入れられて送信メッセージが形成されている。図中各情報は、Ａ１：店舗情報、Ａ２：他のログインユーザ名、Ａ３：歌唱を開始したユーザ名、Ａ４：歌唱開始した楽曲のアーティスト名、Ａ５：歌唱開始した楽曲名であり、これら情報を楽曲開始の定型メッセージに組み込むことで送信メッセージが形成されている。さらに本実施形態では、この投稿確認画面にて、ユーザによるメッセージを追加可能としている。ユーザは「追加メッセージ」欄内に、図示しないソフトキーボードなどを使用して、自己のメッセージを追加することが可能である。図の追加メッセージ欄に表示されている「めっちゃうまい！感動！！」はＡさん自身により記入された情報である。
【００５６】
このようなＳＮＳ投稿処理にて形成される各種メッセージについて、図９には、メッセージ投稿イベントに対応付けて、形成するＳＮＳ投稿メッセージに含める各種情報が示されている。ログイン、ログアウト時には、カラオケを行っている店舗情報や一緒にカラオケを行っている他のログインユーザ名などが使用可能である。各種演奏タイミングでは、演奏している曲名、アーティスト名（歌手名）、店舗情報、他のログインユーザ名などを使用してメッセージを形成することが可能である。
【００５７】
カメラ４５にて写真撮影をおこなった場合には、カメラ４５で撮影された写真映像の他、店舗情報、他のログインユーザ名を使用することが考えられる。歌唱の様子を録音、録画する投稿処理では、その投稿時、曲名、歌手名、店舗情報、映像、音声を含めることが可能である。なお、写真撮影時、投稿時に含める文字情報以外の各種メディア情報を投稿する際は、ＳＮＳ投稿メッセージ内にそれらメディア情報を含めることとしてもよいがＳＮＳ投稿メッセージ内にメディア情報へのリンク情報を付与することが好ましい。
【００５８】
あるいは、ログインから所定時間経過時に投稿するＳＮＳメッセージには、ログインしてからこれまでに歌唱した楽曲の履歴（楽曲名、アーティスト名）、店舗情報、他のログインユーザ名などを含めることが考えられる。楽曲の履歴は、ログインユーザ毎に記載することが好ましい。
【００５９】
投稿確認画面の右下には、「送信」、「キャンセル」ボタンが表示されており、「送信」を選択した場合には、追加メッセージを含む送信メッセージが投稿送信される。このようにＳＮＳ投稿メッセージが確認必要メッセージである場合には、ユーザにＳＮＳ投稿メッセージを確認させた上で、投稿送信の実行、キャンセルを選択させることが可能となっている。一方、「キャンセル」を選択した場合には、送信メッセージの投稿送信はキャンセルされる。以上の各処理を全てのログインユーザについて実行する（図７：Ｓ２０７）ことで、一連のＳＮＳ投稿処理は終了する。
【００６０】
このようにＳＮＳ投稿を許可した各ログインユーザについて、ＳＮＳ投稿処理を行うことで、カラオケシステムで発生した各種イベントに応じて、ＳＮＳ投稿メッセージを自動形成し投稿送信することが可能となる。図１１には本発明の実施形態に係るＳＮＳ投稿を模式的に示した図である。この模式図は、あるカラオケ装置２に同時ログインしているログインユーザであるＡさん、Ｂさん、Ｃさんが投稿許可している場合の形態である。また、ＡさんについてのＳＮＳ投稿メッセージは、図１０で説明した投稿確認画面で「送信」決定されたものが示されている。なお、この例では、複数のユーザによる利用となっているが、本実施形態のＳＮＳ投稿処理は、カラオケ装置２を１人で利用している場合、あるいは、１人のユーザが投稿許可している場合においても適用可能であるとともに、本発明の範疇内にある。
【００６１】
図１１に示されるように、カラオケ装置２で形成された各ユーザについてのＳＮＳ投稿メッセージは、カラオケ用ホスト、ＳＮＳホストを経由して、各種情報処理装置で閲覧可
能な状態となる。図には、情報処理装置としてのスマートフォンに、左からそれぞれＡさん、Ｂさん、ＣさんのＳＮＳ投稿メッセージが表示された状態となっている。ＡさんのＳＮＳ投稿メッセージは、図１０に示される送信メッセージと追加メッセージを組み合わせた状態で、投稿日時と共に表示されている。
【００６２】
Ｂさん、Ｃさんについても、定型メッセージにＢさん、Ｃさんに応じた情報を組み合わせたＳＮＳ投稿メッセージが表示されることとなる。このようなＳＮＳ投稿メッセージを閲覧したユーザは、当該ＳＮＳ投稿メッセージに対して返信することが可能である。ＡさんのＳＮＳ投稿メッセージに対しては、Ｅさんが返信した状態が示されている。このように、本実施形態のカラオケ装置２は、カラオケ装置２で発生したイベントに応じて、ＳＮＳ投稿を行うとともに、カラオケに参加していないユーザからの反応を直ちに受け取ることも可能である。
【００６３】
以上説明した実施形態は、自動形成されたＳＮＳ投稿メッセージの内容を確認させると共に、追加メッセージを記載可能とする投稿確認処理（図７：Ｓ３００）を行うことする形態であったが、形成したＳＮＳ投稿メッセージが確認必要メッセージでない場合（Ｓ２０５：Ｎｏ）には、図１０で示す投稿確認画面にてユーザに確認させることなく、形成したＳＮＳ投稿メッセージは自動送信されることとなる。
【００６４】
投稿確認処理では、ＳＮＳ投稿メッセージをユーザに確認させる、その際、追加メッセージを記載可能とする形態以外に、図１２に示されるインターフェイスを有する投稿確認画面を採用することも考えられる。
【００６５】
図１２に示される投稿確認画面は、図１０の投稿確認画面と同様、楽曲の演奏開始をイベントとして形成されたＳＮＳ投稿メッセージを示したものであり、本実施形態では、演奏開始時にカメラ４４で撮影した映像（静止画）を添付することとしている。このようにＳＮＳ投稿メッセージが、撮影映像など個人情報を含む場合、投稿確認画面で編集可能としてもよい。本実施形態では、撮影映像の投稿可否（「写真を投稿する、しない」ボタン）を選択できる形態となっている。さらに、撮影映像を投稿する場合、映像中の一部を隠蔽可能としている。この隠蔽領域はユーザが決定することとしてもよいが、予め、顔人認識を行い顔部分の公開、隠蔽を選択可能としてもよい。図では、Ａ１０に示す顔領域が隠蔽領域として指定されている。
【００６６】
さらに本実施形態では、どこで歌っているかを判別可能な店舗情報、誰と一緒に歌っているかを判別可能な他のログインユーザ名の公開、隠蔽を選択することが可能となっている。図中、Ａ６〜Ａ８で示す破線枠を選択することで、枠内の情報の公開、隠蔽を選択することが可能となっている。図ではＡ７の他のログインユーザ名（Ｂさん）が隠蔽状態として選択された状態が示されている。
【００６７】
このような投稿確認画面の状態で「送信」ボタンを操作することで、編集されたＳＮＳ投稿メッセージが投稿送信される。図１３には、図１２の状態で投稿されたＳＮＳ投稿メッセージの受信画面が示されている。図１２で非公開（隠蔽）としたＡ７はメッセージから外されるとともに、撮影映像中の領域Ａ１０は隠蔽された状態で表示されている。このように本実施形態のＳＮＳ投稿処理は、発生イベントに応じて個人情報を含む場合があり、その対応として投稿確認画面にてＳＮＳ投稿メッセージを部分的に編集可能な形態となっている。
【００６８】
ＳＮＳ投稿メッセージの投稿では、個人情報保護の観点について、前述した実施形態のように個人情報に関する部分を隠蔽する形態以外に、公開先を制限する形態も考えられる。図１４には、ＳＮＳメッセージに含まれる情報とその公開対象の関係が示されている。
図中、左にはＳＮＳ投稿メッセージの公開対象が、右にはＳＮＳ投稿メッセージが記載されている。ユーザは、投稿確認画面で公開対象とする１もしくは複数の公開対象を指定することで、ＳＮＳ投稿メッセージに含まれる情報を、図中右に示す情報に制限することとしてもよい。あるいは、形成されたＳＮＳ投稿メッセージが右に示す情報を含んでいる場合、対応する公開対象に規制することとしてもよい。このように公開対象、あるいは、公開対象毎に含まれる情報を規制することで、個人情報などに配慮した形態でＳＮＳ投稿メッセージを公開することが可能となる。
【００６９】
なお、本発明はこれらの実施形態のみに限られるものではなく、それぞれの実施形態の構成を適宜組み合わせて構成した実施形態も本発明の範疇となるものである。
【符号の説明】
【００７０】
１…リモコン装置、１１…表示部、１２…ビデオＲＡＭ、１３…映像制御部、１４…メモリ、１５…制御部、１６…無線ＬＡＮ通信部、１７…操作部、１８…操作処理部、１９…赤外線通信部、２…カラオケ装置（コマンダ）、２１…操作部、２２…操作処理部、２３…赤外線通信部、２４…インターフェイス部、２５…音声制御部、２６…ＭＩＤＩ音源、２７…メモリ、２８…ビデオＲＡＭ、２９…映像再生部、３０…制御部、３１…映像制御部、３２…ＨＤＤ（ハードディスク：記憶部）、３３…タッチパネルモニタ、３４…タッチパネル、３５…表示部、４１…モニタ、４２…スピーカ、４４ａ、４４ｂ…歌唱用マイク、４５…カメラ、１００…ＬＡＮ、１１０…アクセスポイント、１２０…ルータ
【図１】
2014191142.tif 000003
【図２】
2014191142.tif 000004
【図３】
2014191142.tif 000005
【図４】
2014191142.tif 000006
【図５】
2014191142.tif 000007
【図６】
2014191142.tif 000008
【図７】
2014191142.tif 000009
【図８】
2014191142.tif 000010
【図９】
2014191142.tif 000011
【図１０】
2014191142.tif 000012
【図１１】
2014191142.tif 000013
【図１２】
2014191142.tif 000014
【図１３】
2014191142.tif 000015
【図１４】
2014191142.tif 000016